(57)【特許請求の範囲】
【請求項１】
トラフの継目で両トラフの上面と両側面を覆うトラフ継目カバーであって、トラフの上面部を覆う天井部（４３）とトラフの両側面部を覆う両側壁部（４５、４７）とを有し、前記両側壁部（４５、４７）の下端縁（４５ａ、４７ａ）はトラフの下面側に回り込むように湾曲させてあり、前記天井部（４３）の内面を除いて前記両側壁部（４５、４７）の内面にだけ、トラフ長手方向中間部に両トラフの端面間に入る突片（５１）が形成されており、これによりトラフの継ぎ目に被せるときに、天井部（４３）を弾性変形させて両側壁部（４５、４７）の下端縁（４５ａ、４７ａ）の間隔を開くことができるようにしてあることを特徴とするトラフ継目カバー。
【請求項２】
トラフ支持部材上に端面間に隙間をあけて設置された両トラフの端部に跨るように、請求項１記載のトラフ継目カバーを被せ、その内面の突片を両トラフの端面間に位置させたことを特徴とするトラフ継目遮蔽構造。
【発明の詳細な説明】
【技術分野】
【０００１】
本発明は、所定長のトラフを端面を突き合わせて布設する場合に、トラフの継目に被せるトラフ継目カバーと、それを用いたトラフ継目遮蔽構造に関するものである。
【背景技術】
【０００２】
電力ケーブルや通信ケーブルの布設などに使用されるトラフは、従来、コンクリート製が一般的であったが、最近、軽量な樹脂製トラフが使用されるようになっている。図４に樹脂製トラフの一例を示す（特許文献１の図２参照）。このトラフ１１はトラフ本体１３と蓋体１５とから構成される。トラフ本体１３と蓋体１５は両側の結合部１６により筒形に組み合わされる。トラフ本体１３の底面には長手方向に連続する断面略Ｔ字形の溝（以下、Ｔ形溝という）１７が形成されている。Ｔ形溝１７は、Ｔの字の横棒に相当する横溝部１７ａと、縦棒に相当する縦溝部１７ｂとから構成される。横溝部１７ａの幅Ｗは縦溝部１７ｂの幅Ｖよりも広いため、Ｔ形溝１７内には両側に肩部１９が形成される。
【０００３】
上記のように構成されたトラフ１１を、トラフ支持部材に固定するためのトラフ固定金具の一例を図５に示す（特許文献１の図６、特許文献２の図６、図７、図９参照）。このトラフ固定金具２１は、ボルト２３と、垂直なボルト２３の上端部に水平に固定された留め金具２５と、締付け補助用のワッシャ２７と、締付け用のナット２９とから構成されている。前記留め金具２５は、平面図で見ると略長方形で、その幅Ｑが前記トラフ１１の底面に形成されたＴ形溝１７の縦溝部１７ｂの幅Ｖより若干小さく、長さＰが前記Ｔ形溝１７の縦溝部１７ｂの幅より大きく且つ横溝部１７ａの幅Ｗと同じかそれより若干小さく設定されている。また平面図で見て、幅方向の両端の角部のうち、留め金具２５を反時計方向（ナット２９を締める方向）に回転させるときに回転方向の先端側となる角部には回転を阻害させないための切欠き３１が形成されている。また留め金具２５の中央部にボルト２３の頭部２３ａを収容する凹部３３が形成されており、凹部３３の外面間距離ＲはＴ形溝１７の縦溝部１７ｂの幅Ｖより若干小さく設定されている。
【０００４】
図６は、上記のトラフ固定金具２５を用いて、トラフ１１をトラフ支持部材３５に固定する方法の一例を示す（特許文献１の図４参照）。このトラフ支持部材３５は、鉄道線路脇の擁壁などに固定されたアングル材３５Ａと、その上に設置された位置決め部材３５Ｂとから構成されている。トラフ支持部材３５には所定の位置に、上下方向にボルト穴が形成されている。トラフ固定金具２５は、支持部材３５上にトラフ１１を載せる前に、ボルト２３を支持部材３５のボルト穴に挿通し、ボルト２３の下部にワッシャ２７及びナット２９を仮止めしておく。次に、図６（Ｂ）に示すように、留め金具２５の長さ方向をトラフ長手方向に向けた状態で、支持部材３５上にトラフ１１を載せると、留め金具２５全体がトラフ１１の底面のＴ形溝１７内に入る。その後、ボルト２３を摘んで固定金具２１をナット２９を締める方向に略９０度回転させると、図６（Ｃ）に示すように、留め金具２５の長さ方向の両端縁がＴ形溝１７の横溝部１７ａの両側壁３７に突き当たってそれ以上回転できなくなると共に、留め金具２５の長さ方向の両端部がＴ形溝１７内の両側の肩部１９に引っ掛かってＴ形溝１７から抜け出せなくなる。この状態で、ナット２９を締め付ければ、図６（Ａ）に示すように、トラフ１１を固定金具２１によって支持部材３５上に固定することができる。
【０００５】
プラスチック製トラフ１１は、例えば長さが２．５ｍ程度の定尺物であるため、これを長手方向に布設していくと、隣り合うトラフ間に継目が生じる。この継目は、図６（Ａ）に示した位置決め部材３５Ｂの長手方向の中間に位置させて、隣り合うトラフ間に横方向及び上下方向の位置ずれが生じないようにしている（特許文献１の図１、図４参照）。
【０００６】
【特許文献１】特開２００４−４８８４６号公報
【特許文献２】特開２００３−１８９４３７号公報
【発明の開示】
【発明が解決しようとする課題】
【０００７】
トラフは、温度変化により長手方向に伸縮する。特にプラスチック製トラフは、コンクリート製トラフに比べ、温度変化による伸縮量が比較的大きい。温度変化によるトラフの伸縮を無理なく吸収するためには、長手方向に隣り合うトラフの端面間に隙間を設けておくことが好ましい。また、トラフの継目に隙間を設ける場合には、トラフ内に雨水や塵埃が入り込まないように、両トラフに跨るようにカバーを被せることが好ましい。
【０００８】
しかし、トラフの継目にカバーを被せておいても、温度変化によるトラフの伸縮や振動等により、カバーが少しずつ長手方向にずれて、継目が露出してしまうおそれがある。
【０００９】
本発明の目的は、温度変化によるトラフの伸縮や振動等によっても、トラフの継目が露出することのないトラフ継目カバーと、それを用いたトラフ継目遮蔽構造を提供することにある。
【課題を解決するための手段】
【００１０】
本発明に係るトラフ継目カバーは、トラフの継目で両トラフの上面と両側面を覆うトラフ継目カバーであって、トラフの上面部を覆う天井部とトラフの両側面部を覆う両側壁部とを有し、前記両側壁部の下端縁はトラフの下面側に回り込むように湾曲させてあり、前記天井部の内面を除いて前記両側壁部の内面にだけ、トラフ長手方向中間部に両トラフの端面間に入る突片が形成されており、これによりトラフの継ぎ目に被せるときに、天井部を弾性変形させて両側壁部の下端縁の間隔を開くことができるようにしてあることを特徴とするものである。
【００１２】
また、本発明に係るトラフ継目遮蔽構造は、トラフ支持部材上に端面間に隙間をあけて設置された両トラフの端部に跨るように、上記のように構成されたトラフ継目カバーを被せ、その内面の突片を両トラフの端面間に位置させたことを特徴とするものである。
【発明の効果】
【００１３】
本発明に係るトラフ継目カバーは、内面の長手方向中間部に突片が形成されているので、この突片が両トラフの端面間に位置するようにトラフの継目に被せておけば、トラフの温度変化による伸縮や、振動等によってトラフ継目カバーがトラフに対して相対的に長手方向に移動しようとしても、突片（すなわち、トラフ継目カバーの長手方向中間部）が常に両トラフの端面間に位置しているため、トラフの継目が露出することがなく、トラフ内に雨水や塵埃が入り込むのを防止することができる。
突片は、トラフ継目部において、両トラフの端面の間に位置するため、トラフが長手方向に移動すると、突片がトラフの端面に引っ掛かってトラフの動きに連動することになる。
【００１４】
また、トラフ継目カバーをトラフの継目に被せるときは、カバーを弾性変形させてカバーの下端縁の間隔を開く必要があるが、突片を、カバーの天井部を除いた両側壁部の内面にだけ形成しておけば、カバーの弾性変形が阻害されることが少なく、カバーを被せる作業を容易に行うことができる。
【発明を実施するための最良の形態】
【００１５】
図１及び図２は本発明に係るトラフ継目カバーの一実施形態を示す。このトラフ継目カバー４１は、トラフの上面部を覆う天井部４３と、トラフの両側面部を覆う両側壁部４５、４７とを有しており、下面側は開口している。両側壁部４５、４７には、図４に示したトラフ１１の本体１３と蓋体１５の結合部１６を収容する膨出部４９が形成されている。また、両側壁部４５、４７の下端縁４５ａ、４７ａは、トラフの下面側へ回り込むように湾曲させてある。
【００１６】
このトラフ継目カバー４１の特徴は、その内面の長手方向中間部に、長手方向に隣り合う両トラフの端面間に入る突片５１が形成されていることである。突片５１は両側壁部４５、４７の内面にだけ形成されており、天井部４３には形成されていない。これは、トラフ継目カバー４１をトラフに被せるときに、下端縁が開き難くならないようにするためである。
【００１７】
図３は、上記のトラフ継目カバー４１を用いたトラフ継目遮蔽構造を示す。長手方向に隣り合うトラフ１１Ａ、１１Ｂは、端面間に隙間Ｓをあけて、図６に示したトラフ支持部材３５上に設置されている。トラフ継目カバー４１は、その内面の突片５１を両トラフ１１Ａ、１１Ｂの端面間に位置させて、両トラフ１１Ａ、１１Ｂの端部に跨るように被せられている。このような構造であれば、トラフ１１Ａ、１１Ｂの温度伸縮や、振動等によって、トラフ継目カバー４１がトラフ１１Ａ、１１Ｂに対し相対的に長手方向のどちらかへ移動しようとしても、突片５１が常に両トラフ１１Ａ、１１Ｂの端面間に位置していて相対的な移動を制限するため、トラフの継目が露出することがない。
【図面の簡単な説明】
【００１８】
【図１】本発明に係るトラフ継目カバーの一実施形態を示す、（Ａ）は平面図、（Ｂ）は正面図、（Ｃ）は底面図、（Ｄ）は左側面図、（Ｅ）は右側面図。
【図２】（Ａ）は図１（Ｅ）のＡ−Ａ線断面図、（Ｂ）は図１（Ｅ）のＢ−Ｂ線断面図、（Ｃ）は図１（Ｂ）のＣ−Ｃ線断面図。
【図３】本発明に係るトラフ継目遮蔽構造の一実施形態を示す平面図。
【図４】プラスチック製トラフの一例を示す正面図。
【図５】トラフ固定金具の一例を示す、（Ａ）は平面図、（Ｂ）は正面図、（Ｃ）は側面図。
【図６】（Ａ）は図４のトラフを図５のトラフ固定金具でトラフ支持部材上に固定した状態を示す断面図、（Ｂ）、（Ｃ）はトラフを固定する手順を（Ａ）のＸ−Ｘ´線から見た説明図。
【符号の説明】
【００１９】
１１Ａ、１１Ｂ：トラフ
Ｓ：隙間
４１：トラフ継目カバー
４３：天井部
４５、４７：側壁部
４５ａ、４７ａ：側壁部の下端縁
４９：膨出部
５１：突片
【図１】
0004897967.tif 000002
【図２】
0004897967.tif 000003
【図３】
0004897967.tif 000004
【図４】
0004897967.tif 000005
【図５】
0004897967.tif 000006
【図６】
0004897967.tif 000007